(57)【要約】【課題】本発明は、自動車などに搭載される車載機器に関するもので、利便性を高めることを目的とするものである。【解決手段】そしてこの目的を達成するために本発明は、表示部６と、この表示部６に接続された制御部７と、この制御部７に接続された運転免許証情報読み取り部１２、メモリ１０、１４及び操作部８とを備え、前記制御部７は、運転免許証情報読み取り部１２によって読み取った運転免許証情報により、前記表示部６の表示を変更させる構成とした。【選択図】図３
2014180926.tif 000002
【特許請求の範囲】
【請求項１】
表示部と、この表示部に接続された制御部と、この制御部に接続された運転免許証情報読み取り部、メモリ及び操作部とを備え、前記制御部は、運転免許証情報読み取り部によって読み取った運転免許証情報により、前記表示部の表示を変更させる構成とした車載機器。
【請求項２】
制御部は運転免許証情報読み取り部によって読み取った運転免許証情報により、文字の拡大を選択する表示をさせる構成とした請求項１に記載の車載機器。
【請求項３】
制御部は運転免許証情報読み取り部によって読み取った運転免許証情報により、運転初心者マークまたは、高齢者マークの貼付を確認する表示をさせる請求項１または２に記載の車載機器。
【発明の詳細な説明】
【技術分野】
【０００１】
本発明は、読み取った運転免許証の年齢情報に応じて、その年齢情報に適した制御動作や注意喚起等のリストをヘッドユニットの画面に表示し、運転者が設定を適応するか否かを選択することによって、極めてその人に合致した設定にすることができる車載機器に関するものである。
【背景技術】
【０００２】
従来の車載機器として、運転免許証情報を読み取るものの構成は以下のようになっていた。
【０００３】
すなわち、表示部と、この表示部に接続された制御部と、この制御部に接続された運転免許証情報読み取り部、メモリ及び操作部とを備え、前記制御部は、運転免許証情報読み取り部によって読み取った運転免許証情報により、エンジンの起動の可否を実行させる構成となっていた（例えば、これに類似するものとしては特許文献１参照）。
【先行技術文献】
【特許文献】
【０００４】
【特許文献１】特開２００６−２９０１７０号公報
【発明の概要】
【発明が解決しようとする課題】
【０００５】
上記従来例においては運転免許証情報を読み取ることにより、エンジンの起動可否が実行されるので、運転免許証の携帯忘れや不知の第三者の運転を回避できる点で評価されるものであるが、さらなる利便性を高めることが求められている。
【０００６】
すなわち、実際の運転においてよく発生する事象として、例えば年齢とともに衰える視力の低下により、表示部の表示が見にくく、その結果として運転に支障をきたすこともある。具体的には、表示部に地図情報が表示されている場合に特定の文字や記号が小さく表示されていると一目しただけではそれを正しく認識することができず、その結果として運転に支障をきたすこともあり、さらなる利便性が求められているのである。
【０００７】
そこで、本発明は利便性を高めることを目的とするものである。
【課題を解決するための手段】
【０００８】
そして、上記目的を達成するために本発明は、表示部と、この表示部に接続された制御部と、この制御部に接続された運転免許証情報読み取り部、メモリ及び操作部とを備え、前記制御部は、運転免許証情報読み取り部によって読み取った運転免許証情報により、前記表示部の表示を変更させる構成とし、これにより所期の目的を達成するものである。
【発明の効果】
【０００９】
以上のように本発明は、表示部と、この表示部に接続された制御部と、この制御部に接続された運転免許証情報読み取り部、メモリ及び操作部とを備え、前記制御部は、運転免許証情報読み取り部によって読み取った運転免許証情報により、前記表示部の表示を変更させる構成としたものであるので、利便性の高いものとなる。
【００１０】
すなわち、本発明においては運転免許証情報読み取り部によって読み取った運転免許証情報により、前記表示部の表示を変更させる構成としたものであるので、例えば、高齢者
であれば文字を大きくすることもでき、また運転免許情報として眼鏡等が必要なものには、それを装着しているか否かの確認表示が行われ、更に初心者マークや高齢者マークの貼付を確認する表示も行え、利便性の高いものとなるのである。
【図面の簡単な説明】
【００１１】
【図１】本発明の一実施形態にかかる車載機器を搭載した自動車の車内を示す正面図
【図２】同、車載機器の正面図
【図３】同、車載機器の制御ブロック図
【図４】同、車載機器の設定変更画面を示す正面図
【図５】同、車載機器の文字の拡大前の表示画面を示す正面図
【図６】同、車載機器の文字の拡大後の表示画面を示す正面図
【図７】同、車載機器の動作フローチャート
【発明を実施するための形態】
【００１２】
以下、本発明の実施の形態について図面を参照しながら説明する。
【００１３】
図１において自動車１には、その車内２の前方にはハンドル３が設けられている。またこのハンドル３の側方には車載機器４が設けられている。またハンドル３に対向して運転席５ａが設けられ、この運転席５ａの隣には助手席５ｂが設けられている。
【００１４】
車載機器４は図２に示すように表示部６を備え、この表示部６には、例えばナビゲーションのための地図や、音楽再生時の楽曲名などが表示されるようになっている。前記表示部６は図３に示すごとく制御部７が接続されている。また、この制御部７には、表示部６内に例えば図４のごとく表示される操作部８や、ナビゲーションのためのＧＰＳ９、メモリ１０や、図１のごとく車内２に設置されたＳＰ（スピーカ）１１が接続されている。また、図１に示す運転情報読み取り部１２も接続されている。この運転情報読み取り部１２は制御部７に接続された判定部１３と、この判定部１３に接続されたメモリ１４、データ読み取り部１５により構成されている。なお、メモリ１４にはデータ読み取り部１５で読み取った情報により、表示部６に表示させる内容を変更させるためのデータが格納させている。例えば、ナビゲーション機能が起動されている状態で図５に示すごとく表示部６に示された地図がその運転者にとっては表示が小さすぎると判定された際にはそれを図６に示すごとく拡大表示させることで、その運転者にとって見やすく使い勝手の良いものとすることができるようにしているのである。
【００１５】
以上の構成において、運転者が図１の運転席５ａに座り、自分の運転免許証（図３の１６）を、運転情報読み取り部１２のデータ読み取り部１５にかざすと、この運転免許証１６のデータがデータ読み取り部１５で読み取られることになる（図７のＳ１）。
【００１６】
つまり、運転免許証１６には上記先行文献１と同じようにＩＣチップ（図示せず）が埋め込まれ、このＩＣチップにその運転者のデータが格納され、そのデータは出力部から非接触でデータ読み取り部１５に読み取られるようになっている（例えば、駅の改札口の非接触読み取りと同様）。その結果、例えば、年齢が７０歳以上であった場合には、日本国においては道路交通法によって高齢運転者標識（以下、高齢者マークと称す）を自動車１の前方または後方に設置することが義務付けられているので、判定部１３はメモリ１４から読み出したデータを表示部６に図４に示すごとく表示する。例えば、この図４の上段には高齢者で視力が弱ったことを想定し、文字を大きくするか否かの操作部８が表示されている。また、この図４の下段には、上述した高齢者マークを設置することを促す注意表示がなされている（図７のＳ２）。今回、運転者は図４の表示を見て文字を大きくすることを選択（図４のＹＥＳにタッチ）したので、その結果として、表示部６の文字は図５の状態から図６の状態に拡大されることとなる（図７のＳ３〜Ｓ５）。これに対して、図４の
表示を見て文字を大きくすることを選択しなかった場合（図４のＮＯにタッチ）には、表示部６の文字は図５に示す元の状態となる（図７のＳ３、Ｓ６、Ｓ５）。なお、上記実施形態では、運転免許証１６から読み取ったデータに基づき、高齢者マークを設置することを促す表示を行ったが、運転免許証１６から読み取ったデータにより、その運転者が運転免許の取得後、１年を経過しないものであった場合には、初心運転者標識（以下、初心者マークと称す）を自動車１の前後に設置することが日本国の道路交通法によって規定されているので、その場合には、表示部６に初心者マークを設置することを促す表示が行われることとなる。
【産業上の利用可能性】
【００１７】
以上のごとく本発明においては、運転免許証情報読み取り部によって読み取った運転免許証情報により、前記表示部の表示を変更させる構成としたものであるので、例えば、高齢者であれば文字を大きくすることもでき、また運転免許情報として眼鏡等が必要なものにはそれを装着しているか否かの確認表示が行われ、さらに初心者マークや高齢者マークの貼付を確認する表示も行え、利便性の高いものとなるのである。
【００１８】
したがって、車載機器としての活用が期待される。
【符号の説明】
【００１９】
１  自動車
２  車内
３  ハンドル
４  車載機器
５ａ  運転席
５ｂ  助手席
６  表示部
７  制御部
８  操作部
９  ＧＰＳ
１０  メモリ
１１  スピーカ
１２  運転情報読み取り部
１３  判定部
１４  メモリ
１５  データ読み取り部
１６  運転免許証
【図１】
2014180926.tif 000003
【図２】
2014180926.tif 000004
【図３】
2014180926.tif 000005
【図４】
2014180926.tif 000006
【図５】
2014180926.tif 000007
【図６】
2014180926.tif 000008
【図７】
2014180926.tif 000009